(57)【要約】【課題】  人の心に潤いを与え、さらに身近で簡単に生きた植物の生態（色・形の変化）、場合によっては成長を楽しむことができ、かつ、水や肥料を施す手間が全くかからない（メンテナンスフリーな）装飾要素を提供することを課題とする。【解決手段】  生きた植物体を長期間枯らさずに封入可能な植物体封入装飾要素により上記問題を解決する。すなわち、生きた植物体１６を、該植物体の生命活動（生活機能）に必要な水分及び／又は栄養分を含む無菌培地１４とともに透明容器１２に封入した植物体封入装飾要素である。【選択図】  図１
2005333879.tif 000002
【特許請求の範囲】
【請求項１】
生きた植物体を、該植物体の生活に必要な水分及び／又は栄養分を含む無菌培地とともに透明容器に封入したことを特徴とする植物体封入装飾要素。
【請求項２】
前記生きた植物体が、植物体の組織の一部であることを特徴とする請求項１記載の植物体封入装飾要素。
【請求項３】
前記生きた植物体が、植物体の組織の一部を培養して得た細胞塊（カルス）であることを特徴とする請求項１記載の植物体封入装飾要素。
【請求項４】
前記生きた植物体が、植物の種子であることを特徴とする請求項１記載の植物体封入装飾要素。
【請求項５】
前記生きた植物体が、食虫植物であることを特徴とする請求項１記載の植物体封入装飾要素。
【請求項６】
前記無菌培地が、５大肥料要素及び炭素源とともに、必要により微量肥料要素、ビタミン、ミオイノシトール及びアミノ酸を含む培地であることを特徴とする請求項１〜５いずれか記載の植物体封入装飾要素。
【請求項７】
前記無菌培地の培地組成が、Ｍｕｒａｓｈｉｇｅ−Ｓｋｏｏｇ培地（以下「ＭＳ培地」）の組成をベースとし、５大肥料要素の全部について、その含量を１／１．５以下（零を含む）とした培地組成であることを特徴とする請求項６記載の植物体封入装飾要素。
【請求項８】
前記無菌培地が、液体培地であることを特徴とする請求項６又は７記載の植物体封入装飾要素。
【請求項９】
前記無菌培地が、固形培地であることを特徴とする請求項６又は７記載の植物体封入装飾要素。
【発明の詳細な説明】
【技術分野】
【０００１】
本発明は、植物体を無菌培地とともに透明容器に封入して、生きた植物体を長期間生かしながら、意匠体とすることが可能で、装飾品や装身具として好適な装飾要素に関する。
【背景技術】
【０００２】
従来、生きた植物は、ストレスによって疲労した人間の心を癒し、また、生活に潤いを与える効果があるものとして観賞されてきた。観賞を目的とした植物の装飾要素（置物等）には、鉢植え生花の他にもドライフラワーや模造植物、あるいは樹脂で植物体を封入した装飾品等が知られており、また、花や葉あるいは果実等の天然植物装飾体を当初の形態を維持しつつ、透明油性ゲルとともに容器に封入したものもある（特許文献１）。
【０００３】
しかし、上記装飾要素において利用する植物体は、いずれも生きた植物体ではないので、植物体自体の成長あるいは活動を観察することはできず、生命力を感じさせるには充分ではなかった。
【０００４】
一方、実際に生きた植物を観賞用として栽培するためには、鉢植えや盆栽のように場所（スペース）、土（栽培媒体）、水遣り（メンテナンス）等が必要である。
【０００５】
そこで、できるだけ場所や土を必要とせず、また水遣り等の手間をかけなくても簡単に生きた植物が観賞できるよう様々な工夫がなされてきた。
【０００６】
例えば、本発明者等は、生きた植物を手軽に観賞するための植物栽培用容器を発明した（特許文献２）。該発明に係る植物栽培用容器は、植物の成長に必要な栄養分を含む植物用培地を注入して、該培地で植物を栽培するためのものである。こうした容器を利用すれば、設置場所を自由に移し変えながら生きた植物の成長を観賞することが可能で、かつ、水や肥料を施す手間がかからない。
【０００７】
しかし、前記植物栽培用容器で植物を栽培しても、やはり設置するための場所は必要であり、観賞用装飾品（置物）としては従来の鉢植え植物と同じであった。
【０００８】
また、最近では、ストレスによる精神的疲労を癒す効果があるとして、小エビやアリといった動物の活動を餌やり等の世話をせずとも長期にわたって観察できる置物が商品として販売されている（メンテナンスフリーエコ商品）。
【０００９】
しかし、いずれも動物を観察するための置物であり、本発明者が知る限り、植物を利用したメンテナンスフリーの装飾要素は未だ知られていない。
【特許文献１】特開平１１−２７６５６７号公報
【特許文献２】特開２００２−１４２５６６公報
【発明の開示】
【発明が解決しようとする課題】
【００１０】
そこで本発明は、人の心に潤いを与え、さらに身近で簡単に生きた植物の生態（色・形の変化）、場合によっては成長を楽しむことができ、かつ、水や肥料を施す手間が全くかからない（メンテナンスフリーな）装飾要素を提供することを目的とする。
【課題を解決するための手段】
【００１１】
上記課題を解決するために、本発明者等は鋭意研究を重ねた結果、生きた植物体を長期間枯らさずに封入可能な植物体封入装飾要素に想到した。すなわち、生きた植物体を、該植物体の生命活動（生活機能）に必要な水分及び／又は栄養分を含む無菌培地とともに透明容器に封入した植物体封入装飾要素である。
【００１２】
本発明において、「植物体」とは、根、茎、葉等に完全に分化した植物体だけでなく、その組織の一部（根、茎、葉等の一部）又は組織の一部を培養した細胞塊（カルス）、及び種子を含む概念である。また、分類学上の植物だけでなく、藻類（藻、植物性プランクトン等）、菌類（カビ類等）をも含むものである。
【００１３】
「植物体の生活」とは、植物体が枯れることなく生命を維持する活動を意味するもので、無菌培地中で植物体をさらに成長させる場合だけでなく、種子を発芽させ、又は植物組織の一部をさらに増殖させることを含む概念である。
【００１４】
本発明の装飾要素は、透明な容器の中に封入した生きた植物体が発芽し、成長し、活動する様子を、水や栄養分を与える手間をかけることなく観賞しながら、身近な装飾要素としても利用できる点に特徴を有する。
【００１５】
通常、完全に分化が終了した植物体を封入すれば、該植物体の成長する様子を観賞できるが、植物体の組織の一部（根、茎、葉等の一部）を封入してもよい。
【００１６】
また、植物体の組織の一部を培養して得た細胞塊（カルス）を封入して、該カルスの分化・成長の様子を楽しむことも美的価値を有する。
【００１７】
さらに、種子そのものを封入すれば、該種子の発芽・成長を楽しむことも可能である。
【００１８】
封入する植物体の植物種は特に限定されるものでは無いが、食虫植物を封入することができる。食虫植物は、その形状及び色彩において奇異なものが多く、装飾要素内部に封入すれば美的価値を高めることができるからである。
【００１９】
封入可能な食虫植物としては、以下の属のものを挙げることができる。
【００２０】
ダイオネア属（ｅｘ．ハエトリグサ）、ドロセラ属（ｅｘ．モウセンゴケ）、ドロソフィルム属、ダーリングトニア属、ヘリアンフォラ属、サラセニア属、ネペンテス属（ｅｘ．ウツボカズラ）、ビブリス属、セファロータス属、ロリデュラ属、ピングィキュラ属（ｅｘ．ムシトリスミレ）、ウトリキュラリア属（ｅｘ．タヌキモ）、ポリポンポリックス属。
【００２１】
植物体が密封容器内で発芽し、成長し、生命活動を維持するためには、該植物体を容器内で支持し水分や栄養分を供給するための培地が必要である。該培地は、封入する植物体が生命活動に必要とする全ての栄養素を含む無菌培地が望ましい。
【００２２】
前記食虫植物を封入する場合、無菌培地組成として、５大肥料要素及び炭素源とともに、必要により微量肥料要素、ビタミン、ミオイノシトール及びアミノ酸を含む培地であることが望ましい。
【００２３】
また、無菌培地の培地組成を、Ｍｕｒａｓｈｉｇｅ−Ｓｋｏｏｇ培地（以下「ＭＳ培地」）の組成をベースとして、５大肥料要素の全部について、その含量を１／１．５以下（零を含む）とした改変ＭＳ培地とすることも可能である。
【００２４】
上記組成の培地を利用すれば、食虫植物に特徴的な捕虫部を大きくし、天然の食虫植物の色彩に近づけることができるからである。
【００２５】
ここで５大肥料要素の例として、以下のものが挙げられる。
【００２６】
窒素（Ｎ）成分：ＮＨ4ＮＯ3、ＫＮＯ3、ＮａＮＯ3、（ＮＨ4）2ＳＯ4
リン（Ｐ）成分：ＫＨ2ＰＯ4、ＮａＨ2ＰＯ4・２Ｈ2Ｏ、Ｃａ3（ＰＯ4）2
カリ（Ｋ）成分：ＫＮＯ3、ＫＨ2ＰＯ4、ＫＣｌ、Ｋ2ＳＯ4
カルシウム（Ｃａ）成分：Ｃａ（ＮＯ3）2・４Ｈ2Ｏ、ＣａＣｌ2、Ｃａ3（ＰＯ4）2
マグネシウム（Ｍｇ）成分：ＭｇＳＯ4・７Ｈ2Ｏ
また、炭素源の例として、蔗糖（スクロース）、麦芽糖（マルトース）、等の二糖類、又は、ブドウ糖（グルコース）、果糖（フルクトース）等の単糖類を挙げることができる。
【００２７】
封入する植物により、培地に加える微量肥料要素の種類・量は異なるが、必要により以下のものを添加すればよい。
【００２８】
鉄（Ｆｅ）成分：植物体の生育に不可欠でクロロフィル合成に使用される。通常、不溶性沈殿を作り易いため、キレート化して用いる。具体的には、Ｆｅ2ＳＯ4をＮａ2−ＥＤＴＡ（エチレンジアミン４酢酸）でキレート化したＦｅ−ＥＤＴＡを好適に使用できる。
【００２９】
ホウ素（Ｂ）成分：陽イオンの吸収増進、陰イオンの吸収抑制の作用を奏する。具体的は、Ｈ3ＢＯ3等を好適に使用することができる。
【００３０】
マンガン（Ｍｎ）成分：呼吸作用、酸化酵素の作用を促進する。具体的には、ＭｎＳＯ4・４Ｈ2Ｏ等を好適に使用することができる。
【００３１】
亜鉛（Ｚｎ）成分：酸化・還元反応に関係する。具体的には、ＺｎＳＯ4・７Ｈ2Ｏ等を好適に使用することができる。
【００３２】
銅（ＣＵ）成分：酸化酵素の成分となる。具体的には、ＣｕＳＯ4・６Ｈ2Ｏ等を好適に使用することができる。
【００３３】
モリブデン（Ｍｏ）成分：空中窒素の固定等に関する。具体的には、Ｎａ2ＭｏＯ4・２Ｈ2Ｏ等を挙げることができる。
【００３４】
封入した植物の組織の増殖・分化を促進するために、各種ビタミン、ミオイノシトール、アミノ酸等を必要により添加するとよい。
【００３５】
ビタミンとしては、チアミン、ピリドキシン、ニコチン酸等を挙げることができる。また、アミノ酸としてグリシン、グルタミン酸、アスパラギン酸等を好適に使用することができる。
【００３６】
植物体とともに容器内に封入する培地の態様としては、前記組成の水溶液を液体培地とすることができる。水溶液中に浮遊する植物体の動きを観賞することができる。
【００３７】
培地のその他の態様として、前記組成の水溶液をゲル化剤でゲル化して、固形培地とすることもできる。この場合、容器内に敷設した培地床に植物体を植栽する。また、植物体を該固形培地中に埋入して固定した状態のまま容器内に封入することも可能である。
【００３８】
ゲル化剤としては、増粘多糖類である寒天（アガー）が好適であるが、他のゲル化剤、例えば、ペクチン、アルギン酸、ウロン酸、ムコ多糖類（以上「増粘多糖類」）、ゼラチン（コラーゲン変性体）、等であってもよい。
【発明を実施するための最良の形態】
【００３９】
以下に本発明の具体的な実施例について説明する。
【００４０】
図１は、本発明の植物体を封入した装飾要素の例を示している。有底円筒の容器本体１２に液体培地１４を満たし、その中に植物体１６を入れ、蓋体２０を接着剤で接着固定して密封したものである。容器本体１２と蓋体２０は、内部の透視が可能に、無色透明または有色透明な部材で形成されている。具体的には、ポリカーボネート等の合成樹脂又は、ガラス等の透明な部材を使用できる。
【００４１】
図の実施例では、容器本体１２の大きさは、外径約８ｍｍ、長さ約１５ｍｍの小さな円柱で、あらゆる装飾可能な部位に取り付けて観賞することができる。底部に穿孔した孔２２は、装飾する部位に取り付ける場合に利用する部分であるが、その目的及び用途に応じて適宜設計することが可能である。
【００４２】
植物体１６は、あらかじめ無菌培養又は滅菌処理を施したものを無菌状態で保存しておく。図中に示す植物体１６は、食虫植物のダイオネア属ハエトリグサで、封入に先立って無菌培地で培養したものである。この他にも前記例示した食虫植物の種類を封入することができる。こうした食虫植物は、人工無菌培養によって、非常に小さいにもかかわらず根、葉、捕虫部等に完全に分化した苗をつくることができ、前述のような小さな容器本体の中へでも移植して封入することが可能である。
【００４３】
一方、植物体を移植封入する前に、必要な培地を調製する。
【００４４】
培地には、植物の組織培養に広く使用されているＭＳ培地を使用できるが、その他にも、改変ＭＳ培地、Ｂ５培地、ＶＷ（Ｖａｃｉｎ−Ｗｅｎｔ）培地、ＫＣ（Ｋｕｎｕｄｓｏｎ  Ｃ）培地等又はこれらの培地組成を改変したものを好適に使用可能である。これら培地の組成は、封入する植物体の特性に合わせて、適宜調製することができる。
【００４５】
本実施例では、食虫植物の特徴を発現容易とするために前記改変ＭＳ培地組成の液体培地を使用した。
【００４６】
容器本体１２に調製した液体培地１４を注入した後、蓋体２０とともにオートクレーブにかけ、１ｋｇ／ｃｍ2、１２０℃で約１５ｍｉｎ滅菌を行なう。続いて、無菌状態下（クリーンベンチ内）で植物体１６を培地１４中に移植（浸漬）し蓋体２０を接着して密閉封入する。このとき、容器１２内を液体培地１４で完全に満たすのではなく、少量の気泡ａを入れるのが望ましい。
【００４７】
こうして封入した植物体は、自然状態に比べ緩やかであるが成長を続ける。ウトリキュラリア属ミミカキグサで実施した場合、封入してから約３ヶ月を経過してもなお生命を維持し成長を続けている。
【００４８】
封入する培地は、封入される植物体の生命活動維持に必要な全ての栄養素及び水分を含む培地である。そのため、封入する植物体は、根の一部又は茎の一部等人工培養可能な部分であってもよい。茎の一部を封入した場合、該茎から根が伸び、葉が成長する様子を観賞することも可能である。
【００４９】
また、植物体の組織を培養したカルスを封入することもできる。例えばニンジンから得たカルスを封入して、該カルスが小さなニンジンに分化（成長）してゆく様子を観賞できる。ニンジンのオレンジ色で美的価値を高めるという効果が期待できる。この場合、培地組成にはカルスの分化を補助するための促進剤さらにオーキシン、サイトカイニン等の植物ホルモンを添加することもできる。
【００５０】
さらに、植物の種子を封入することもできる。  封入する植物体が種子の場合、種子の発芽調節剤を培地に添加するとよい。具体的には、種子の休眠に作用するアブシジン酸や種子の休眠を打破するジベレリン等の量を適宜調節して添加することができる。種子の場合、その発芽・成長の様子は美的価値の高いものである。
【００５１】
美的価値を高めるために、封入する植物体１６の色彩だけではなく、培地１４の態様も変えることが可能である。
【００５２】
例えば、組成は同じ培地であっても固形培地より液体培地であれば、封入した植物体が内部で動く様子を観賞できる。また、培地そのものに着色して美的価値を高めることができる。培地が固形培地の場合は、植物体を培地上に植栽するか固形培地内に埋入してもよい。また、前記有色透明な部材を本体容器１２に使用することができるが、培地に着色してその美的価値を高めることも可能である。
【００５３】
本実施例のような小さな装飾要素の場合、日用品のあらゆる部分に装飾要素として取り付けることが可能である。例えば、耳掻きの柄の先端、筆記具の柄又はキャップの先端、スイッチのつまみ部分、キーホルダー、あるいはボタン等取り付ける部位に応じて容器の形態を設計することができる。また、本装飾要素の透明容器の肉厚部に貫通する孔を穿孔して繋ぎ合わせ鎖状又は環状としたものは、装身具としても利用可能である。
【００５４】
図２、３にその一例を示す。
【００５５】
図２は、容器本体１２の側面の一部を外側に湾曲させ、外周面に渡って膨出部２５を形成したものである。該膨出部２５により、光の屈折方向が変わるため、見る方向によって封入した植物体が変形して見える効果がある。また、蓋体２０の断面形状はレンズ状に形成されているため、本装飾要素を上方向から見た場合、封入した植物が拡大されて見える。さらに、底部肉厚部の外周面に沿って、リボンや紐をかけるための溝２６が形成されている。美的価値を高めるとともに、装飾的価値を高めることができる。
【００５６】
図３は、容器本体１２の側壁断面をレンズ状に形成し、無菌培地を固形培地３２とした本装飾要素の一例を示す。固形培地３２を注入後、滅菌処理を行い、該培地上に食虫植物を植栽し封入したものである。封入した植物体は、レンズの効果によって拡大されて見える。また、容器本体の側壁の中央部から下方は有色透明な部材３０で形成されている。美的価値を高める効果がある。さらに、蓋体もレンズ状に形成すれば上方から見たときも植物体を拡大して観賞することが可能である。レンズは、フレネルレンズとすることもできる。
【００５７】
封入した植物体は、蛍光灯の光（１０００〜３０００ｌｘ）で光合成をすることができ、室内でも充分に装飾要素として観賞することが可能である。
【産業上の利用可能性】
【００５８】
本発明の装飾要素は、キーホルダー、筆記用具の本体又はキャップ部分、スイッチのつまみ部分、ボタン等装飾が可能なあらゆる部分に取り付け、観賞することができる。
【００５９】
また、本装飾要素自体を単体で配置して装飾品として観賞することも可能である。さらに、バイオテクノロジーを応用した新たな植物品種を封入して、美的価値のより高い装飾要素を作り出すことも可能である。
【図面の簡単な説明】
【００６０】
【図１】本発明の植物体封入要素の一例を示す断面図。
【図２】本発明の植物体封入要素の別の一例を示す断面図。
【図３】本発明の植物体封入要素のさらに別の一例を示す断面図。
【符号の説明】
【００６１】
１２  容器本体
１４  培地
１６  植物体
２０  蓋体
２２  底部に穿孔した孔
２５  膨出部
２６  溝
【図１】
2005333879.tif 000003
【図２】
2005333879.tif 000004
【図３】
2005333879.tif 000005